(57)【要約】  シール部材、シール部材を保持する保持板、およびカバー（スクレーパ）を構成部品として有するリニアガイド装置用サイドシールのシール機能を、用途に応じて変化させて、サイドシールによるシール性能を向上する。シール部材として、リップ部（１１ａ〜１１ｆ）の傾き、材質、厚さ、および先端形状の少なくともいずれかが異なる複数種のシール部材（１Ａ〜１Ｂ）を用意する。これらのシール部材から適切なものを複数個選択し、同数のカバーと保持板を組み合わせてサイドシールを組み立てる。
2012070185.tif 000002
【特許請求の範囲】
【請求項１】
案内レールとスライダと複数個の転動体とを有するリニアガイド装置の前記スライダの運動方向両端に固定され、下記の構成(1)〜(4)を有するリニアガイド装置用サイドシールの構成部品。
(1)前記案内レールの上面および両側面と隙間を開けて対向する上部材および両側部材からなるカバーと、前記案内レールの上面および両側面に接触させるリップ部と基部とを有するシール部材と、前記基部を保持する保持板と、からなる。
(2)前記基部は、厚さ方向の一面に、前記保持板と凹凸の嵌め合いで係合する係合部を有し、前記リップ部は、厚さ方向の前記一面側から他面側に傾斜し、前記カバーは、前記シール部材の厚さ方向の他面に接触配置される。
(3)同じ形状の前記カバーが複数個用意され、同じ形状の前記保持板が複数個用意され、前記リップ部の傾き、材質、厚さ、および先端形状の少なくともいずれかが異なる複数種のシール部材が用意されている。
(4)前記カバーと前記保持板と前記シール部材とが、それぞれ複数個組み合わせて使用される。
【請求項２】
前記複数種のシール部材は、前記案内レールの面に対する前記リップ部の傾斜角度が、それぞれ約２０°、約３０°、約４０°である請求項１記載のリニアガイド装置用サイドシールの構成部品。
【請求項３】
前記複数種のシール部材は、前記リップ部の先端面が、前記リップ部の傾斜方向に対して、それぞれ垂直、鈍角、鋭角に形成されている請求項１記載のリニアガイド装置用サイドシールの構成部品。
【請求項４】
案内レールとスライダと複数個の転動体とを有し、下記の構成(1)〜(4)を有するサイドシール構成部品を使用して構成されたサイドシールが、前記スライダの運動方向両端に固定されているリニアガイド装置。
(1)前記案内レールの上面および両側面と隙間を開けて対向する上部材および両側部材からなるカバーと、前記案内レールの上面および両側面に接触させるリップ部と基部とを有するシール部材と、前記基部を保持する保持板と、からなる。
(2)前記基部は、厚さ方向の一面に、前記保持板と凹凸の嵌め合いで係合する係合部を有し、前記リップ部は、厚さ方向の前記一面側から他面側に傾斜し、前記カバーは、前記シール部材の厚さ方向の他面に接触配置される。
(3)同じ形状の前記カバーが複数個用意され、同じ形状の前記保持板が複数個用意され、前記リップ部の傾き、材質、厚さ、および先端形状の少なくともいずれかが異なる複数種のシール部材が用意されている。
(4)前記カバーと前記保持板と前記シール部材とが、それぞれ複数個組み合わせて使用される。
【請求項５】
前記サイドシールは、前記リップ部の厚さが異なる２個のシール部材と、各２個の前記保持板および前記カバーで構成され、
前記２個のシール部材は、前記リップ部の傾きが互いに離れる反対側向きになるように配置されている請求項４記載のリニアガイド装置。
【請求項６】
前記サイドシールは、前記案内レールの面に対する前記リップ部の傾斜角度が異なる２個のシール部材と、各２個の前記保持板および前記カバーで構成され、
前記２個のシール部材は、前記リップ部の傾きが互いに離れる反対側向きになるように配置されている請求項４記載のリニアガイド装置。
【請求項７】
前記サイドシールは、各３個の前記保持板、前記カバー、および前記シール部材で構成され、
前記３個のシール部材は、前記リップ部の傾きが前記スライダ側から内向き、内向き、外向きとなるように配置されている請求項４記載のリニアガイド装置。
【請求項８】
前記サイドシールは、前記リップ部の先端面がリップ部の傾斜方向に対して鈍角に形成されたシール部材と、前記リップ部の先端面がリップ部の傾斜方向に対して鋭角に形成されたシール部材と、各２個の前記保持板および前記カバーで構成され、
前記２個のシール部材は、前記リップ部の傾きが互いに離れる反対側向きになるように配置されている請求項４記載のリニアガイド装置。
【発明の詳細な説明】
【技術分野】
【０００１】
この発明は、リニアガイド装置を構成するスライダの運動方向両端に固定されるサイドシールに関する。リニアガイド装置は、案内レールと、スライダと、複数個の転動体と、を備え、前記案内レールおよびスライダが、互いに対向配置されて転動体の転動通路を形成する転動面を有し、前記転動通路を転動体が転動することにより、案内レールおよびスライダの一方が他方に対して相対的に直線運動する装置である。
【背景技術】
【０００２】
リニアガイド装置の従来例を図１２に示す。このリニアガイド装置は、案内レール１００とスライダ（「ベアリング」とも称される）２００と複数個のころ（転動体）３００とを備えている。案内レール１００およびスライダ２００は、互いに対向配置されてころ３００の転動通路を形成する転動面１１０，２１０を有する。【０００３】
スライダ２００は、案内レール１００の長さ方向で、スライダ本体２０１と、その両端に固定されたエンドキャップ２０２と、さらにその両端に固定されたサイドシール２０３とに分けられる。転動面２１０はスライダ本体２０１に形成されている。スライダ１０２の直動方向両端に配置されたサイドシール２０３は、スライダ２００と案内レール１００の上面および両側面との間をリップ部により密封する。【０００４】
スライダ２００は、また、ころ３００の戻し通路２２１と、この戻し通路２２１と前記転動通路とを連通させる方向転換路２２２を有する。戻し通路２２１はスライダ本体２０１に、方向転換路２２２はエンドキャップ２０２に形成されている。スライダ２００の上面には、テーブル等をねじ止めで取り付けるための雌ねじ２０５が形成されている。【０００５】
サイドシール２０３およびエンドキャップ２０２にグリースニップル４００の取り付け穴が形成されている。グリースニップル４００からエンドキャップ２０２の油路に潤滑剤が導入されて、リニアガイド装置の潤滑が行われる。サイドシール２０３およびエンドキャップ２０２はボルト５００でスライダ本体２０１に固定されている。案内レール１００には、基台等の被取付部に案内レール１００をボルトで取り付けるための取り付け穴１２０が形成されている。【０００６】
このリニアガイド装置は、前記転動通路、戻し通路、および方向転換路で転動体の循環経路が構成され、この循環経路内をころ３００が循環することにより、案内レール１００およびスライダ２００の一方が他方に対して相対的に直線運動する。
このようなリニアガイド装置のサイドシールの従来例としては、金属製の保持板にゴム製のシール部材の基部が固定され、シール部材のリップ部を案内レールの上面および両側面に接触させて使用するものが挙げられる。【０００７】
特許文献１には、サイドシールの保持板（ケース部）とリップ部（シールリップ）を有するシール部材（シール部）とを別部材で構成し、シール部材の保持板とは反対側に、案内レールの外面と隙間を空けて対向配置されるスクレーパー部を設けることが記載されている。保持板とシール部は凹凸の嵌め合いで係合されている。このサイドシールによれば、先ずスクレーパー部で比較的大きな異物が排除されることで、シールリップの長寿命化および作動性向上が図られる。【０００８】
特許文献２には、リップ部（シールリップ）が互いに反対向きに傾斜する２つのシール部材と、これらのシール部材を支持する１枚の支持プレートと、これらのシール部材の基部と支持プレートを受容する凹部を有するハウジングと、からなるサイドシール（スクレーパ）が記載されている。【０００９】
このサイドシールは、スライダ（ガイドキャリッジ）全体を案内レール（ガイドレール）から外さずにシール部材を交換できるようにするために、前述の構成とされている。また、支持プレートの構造を、２つのシール部材を支持した場合と曲がりやすい材料からなるシール部材を１つだけ支持した場合のいずれの場合でも、サイドシールとしての機能を損なうことなく支持できる構造としている。
【先行技術文献】
【特許文献】
【００１０】
【特許文献１】特開２００７−２１１９００号公報
【特許文献２】特表２００８−５２８８９５号公報
【発明の概要】
【発明が解決しようとする課題】
【００１１】
特許文献１および２のサイドシールは、用途に応じてシール機能を変化させてシール性能を向上させるという点で改善の余地がある。
この発明の課題は、シール部材、シール部材を保持する保持板、およびカバー（スクレーパ）を構成部品として有するリニアガイド装置用サイドシールのシール機能を、用途に応じて変化させて、サイドシールによるシール性能を向上することである。
【課題を解決するための手段】
【００１２】
上記課題を解決するために、この発明の第１態様に係るリニアガイド装置用サイドシールの構成部品は、案内レールとスライダと複数個の転動体とを有するリニアガイド装置の前記スライダの運動方向両端に固定され、下記の構成(1)〜(4)を有することを特徴とする。【００１３】
(1)前記案内レールの上面および両側面と隙間を開けて対向する上部材および両側部材からなるカバーと、前記案内レールの上面および両側面に接触させるリップ部と基部とを有するシール部材と、前記基部を保持する保持板と、からなる。
(2)前記基部は、厚さ方向の一面に、前記保持板と凹凸の嵌め合いで係合する係合部を有し、前記リップ部は、厚さ方向の前記一面側から他面側に傾斜し、前記カバーは、前記シール部材の厚さ方向の他面に接触配置される。【００１４】
(3)同じ形状の前記カバーが複数個用意され、同じ形状の前記保持板が複数個用意され、前記リップ部の傾き、材質、厚さ、および先端形状の少なくともいずれかが異なる複数種のシール部材が用意されている。
(4)前記カバーと前記保持板と前記シール部材とが、それぞれ複数個組み合わせて使用される。【００１５】
この発明のリニアガイド装置用サイドシールの構成部品によれば、前記複数種のシール部材から適切なものを複数個選択し、同数のカバーと保持板を組み合わせて使用することにより、用途に応じてシール機能が異なるサイドシールを組み立てることができる。
【発明の効果】
【００１６】
この発明のリニアガイド装置用サイドシールの構成部品によれば、前記複数種のシール部材から適切なものを複数個選択し、同数のカバーと保持板を組み合わせてサイドシールを構成することにより、用途に応じてサイドシールのシール機能を変化させて、サイドシールによるシール性能を向上することができる。
【図面の簡単な説明】
【００１７】
【図１】実施形態のサイドシール構成部品であるシール部材、保持板、カバーを示す斜視図である。
【図２】実施形態のシール部材を示す正面図である。
【図３】実施形態の複数種のシール部材を示す断面図（図２のＡ−Ａ断面図に相当）である。
【図４】実施形態の保持板を示す正面図である。
【図５】図４のＢ−Ｂ断面図である。
【図６】実施形態で組み立てたサイドシールの正面図である。
【図７】図６のＣ−Ｃ断面図である。
【図８】第１のシール部材と第２のシール部材を用いて組み立てたサイドシールを取り付けたリニアガイド装置を示す概略構成図である。
【図９】第３のシール部材と第４のシール部材を用いて組み立てたサイドシールを取り付けたリニアガイド装置を示す概略構成図である。
【図１０】第１のシール部材を３個用いて組み立てたサイドシールを取り付けたリニアガイド装置を示す概略構成図である。
【図１１】第５のシール部材と第６のシール部材を用いて組み立てたサイドシールを取り付けたリニアガイド装置を示す概略構成図である。
【図１２】リニアガイド装置の従来例を示す一部破断斜視図である。
【発明を実施するための形態】
【００１８】
以下、この発明の実施形態について説明する。
この実施形態のサイドシール構成部品は、前述の図１２に示すリニアガイド装置のサイドシール２０３を構成できるものであって、図１に示す形状のシール部材１、保持板２、およびカバー３が複数個用意されている。シール部材１は種類の異なるものが複数個用意され、保持板２とカバー３は同じものが複数個用意されている。
【００１９】
シール部材１は、図２に示すように、正面から見た配置で、案内レール１００（図１２）の上側に配置される上側シール部１ａと、案内レール１００の左右各側に配置される側方シール部１ｂとに分けられる。シール部材１は、各シール部１ａ，１ｂが案内レールと向かい合う方向で、案内レールの上面および両側面に接触させるリップ部１１と、保持板２に保持される基部１２とに分けられる。
【００２０】
このシール部材１として、図３（ａ）〜（ｆ）に示す６種類のシール部材１Ａ〜１Ｆが用意されている。図３（ａ）〜（ｆ）は図２のＡ−Ａ断面図に相当する。
これらの図に示すように、シール部材１Ａ〜１Ｆの基部１２は、厚さ方向の第１の面１３に、凹部（保持板２と凹凸の嵌め合いで係合する係合部）１２ａが形成されている。この凹部１２ａにより、基部１２が先端部１２ｂと基端部１２ｃとに分けられる。
【００２１】
シール部材１Ａ〜１Ｆのリップ部１１ａ〜１１ｆは、基部１２の先端部１２ｂに形成され、基部１２の厚さ方向の第１の面１３側から第２の面１４側に傾斜している。シール部材１Ａ〜１Ｆの最も外側（案内レールから離れる側）の面である第３の面１５は、基端部１２ｃの第１および第２の面１３，１４と直交する。
図３（ａ）に示す第１のシール部材１Ａは、基準となるシール部材であって、案内レールの面に対するリップ部１１ａの傾きが約２０°に形成されている。また、リップ部１１ａの先端面が、リップ部１１ａの傾斜方向に対して垂直に形成されている。
【００２２】
図３（ｂ）に示す第２のシール部材１Ｂは、リップ部１１ｂの厚さが第１のシール部材１Ａのリップ部１１ａより厚く、案内レールの面に対するリップ部１１ｂの傾きは第１のシール部材１Ａのリップ部１１ａと同じである。また、リップ部１１ｂの先端面が、リップ部１１ｂの傾斜方向に対して垂直に形成されている。
図３（ｃ）に示す第３のシール部材１Ｃは、リップ部１１ｃの厚さが第１のシール部材１Ａのリップ部１１ａと同じで、案内レールの面に対するリップ部１１ｃの傾きが約３０°に形成されている。また、リップ部１１ｃの先端面が、リップ部１１ｃの傾斜方向に対して垂直に形成されている。
【００２３】
図３（ｄ）に示す第４のシール部材１Ｄは、リップ部１１ｄの厚さが第１のシール部材１Ａのリップ部１１ａと同じで、案内レールの面に対するリップ部１１ｄの傾きが約４０°に形成されている。また、リップ部１１ｄの先端面が、リップ部１１ｄの傾斜方向に対して垂直に形成されている。
図３（ｅ）に示す第５のシール部材１Ｅは、リップ部１１ｅの厚さが第１のシール部材１Ａのリップ部１１ａと同じで、案内レールの面に対するリップ部１１ｅの傾きが約３０°に形成されている。また、リップ部１１ｅの先端面が、リップ部１１ｅの傾斜方向に対して鈍角（約１１０°）に形成されている。
【００２４】
図３（ｆ）に示す第６のシール部材１Ｆは、リップ部１１ｆの厚さが第１のシール部材１Ａのリップ部１１ａと同じで、案内レールの面に対するリップ部１１ｆの傾きが約２０°に形成されている。また、リップ部１１ｆの先端面が、リップ部１１ｆの傾斜方向に対して鋭角（約８０°）に形成されている。
【００２５】
保持板２は、図４および図５に示すように、スライダ２００（図１２）を構成するエンドキャップ２０２（図１２）とほぼ同じ面形状を有し、案内レール１００の上側に配置される上側部２ａと、案内レール１００の左右各側に配置される側方部２ｂとからなる。上側部２ａには、ボルト５００（図１２）を通す貫通穴５２とグリースニップル４００（図１２）を取り付ける貫通穴４２が形成されている。側方部２ｂには、ボルト５００を通す貫通穴５２が形成されている。保持板２の内側（案内レール側）に、シール部材１の基部１２を保持する保持部２０が形成されている。
【００２６】
保持部２０は、シール部材１の基部１２の凹部１２ａに嵌まる凸部２１と、凸部２１の内側に形成された第１の保持面２２と、凸部２１の外側に形成された第２の保持面２３と、第２の保持面２３の外側に形成された第３の保持面２４とからなる。第１の保持面２２と第２の保持面２３は保持板２の板面と平行であり、第３の保持面２４は保持板２の板面と直交する。
【００２７】
カバー３は、図１および図６に示すように、スライダ２００を構成するエンドキャップ２０２とほぼ同じ面形状を有し、案内レール１００の上面と隙間を開けて対向する上部材３１と、案内レール１００の左右各側面と隙間を開けて対向する側部材３２とからなる。上部材３１には、ボルト５００を通す貫通穴５３とグリースニップル４００を取り付ける貫通穴４３が形成されている。側部材３２には、ボルト５００を通す貫通穴５３が形成されている。
【００２８】
この実施形態のサイドシール構成部材によれば、シール部材１Ａ〜１Ｆから適切なものを複数個選択し、同数の保持板２とカバー３を組み合わせて使用することにより、用途に応じてシール機能が異なるサイドシールを組み立てることができる。
例えば、２個の保持板２およびカバー３と、第１のシール部材１Ａと第２のシール部材１Ｂを用いることにより、図６および７に示すサイドシール２０３を組み立てることができる。このサイドシール２０３では、リップ部１１ａ，１１ｂの厚さが異なる第１のシール部材１Ａと第２のシール部材１Ｂが、リップ部１１ａ，１１ｂの傾きが互いに離れる反対側向きになるように配置されている。
【００２９】
具体的には、図７に示すように、各保持板２の保持部２０の凸部２１に、シール部材１Ａ，１Ｂの基部１２の凹部１２ａを嵌めることで、シール部材１Ａ，１Ｂが各保持板２に保持される。その際に、第３の保持面２４と、第２の保持面２３と、凸部２１の第３の保持面２４と対向する面と、で形成される凹部に、基端部１２ｃが嵌まる。そして、シール部材１Ａ，１Ｂが保持された２個の保持板２を、保持部２０と反対側の面同士を合わせて配置し、各シール部材１Ａ，１Ｂ側の面にカバー３を配置することで、サイドシール２０３を組み立てる。
【００３０】
このサイドシール２０３が、例えば図８に示すように、リニアガイド装置を構成するスライダ２００の運動方向の両端に取り付けられる。このサイドシール２０３により、内側に配置された第２のシール部材１Ｂのリップ部１１ｂと、外側に配置された第１のシール部材１Ａのリップ部１１ａとで、異なるシール機能が発揮されて、良好な密封性能と防塵性能を得ることができる。
【００３１】
図９のリニアガイド装置では、第３のシール部材１Ｃと第４のシール部材１Ｄを、リップ部１１ｃ，１１ｄの傾きが互いに離れる反対側向きになるように配置したサイドシール２０３が、スライダ２００の運動方向の両端に取り付けられている。この場合、内側に配置された第４のシール部材１Ｄのリップ部１１ｄが、外側に配置された第３のシール部材１Ｃのリップ部１１ｃよりも案内レール１００に対する接触圧が大きくなっている。
【００３２】
図１０のリニアガイド装置では、３個の保持板２およびカバー３と、３個の第１のシール部材１Ａを用い、各シール部材１Ａを、リップ部１１ａの傾きが、スライダ２００側から内向き、内向き、外向きとなるように配置したサイドシール２０３が、スライダ２００の運動方向の両端に取り付けられている。この場合、３個のシール部材１Ａを使用することで、高いシール性能が得られる。
【００３３】
図１１のリニアガイド装置では、第５のシール部材１Ｅと第６のシール部材１Ｆを、リップ部１１ｅ，１１ｆの傾きが互いに離れる反対側向きになるように配置したサイドシール２０３が、スライダ２００の運動方向の両端に取り付けられている。この場合、内側に配置された第６のシール部材１Ｆのリップ部１１ｆと、外側に配置された第５のシール部材１Ｅのリップ部１１ｅとで、異なるシール機能が発揮される。
【００３４】
この実施形態では、リップ部の傾き、厚さ、および先端形状の少なくともいずれかが異なる６種類のシール部材１Ａ〜１Ｆが用意されているが、同じ形状で材質のみが異なるシール部材が用意されていてもよい。
【符号の説明】
【００３５】
１  シール部材
１Ａ〜１Ｆ  第１〜６のシール部材
１ａ  上側シール部
１ｂ  側方シール部
１１  リップ部
１１ａ〜１１ｆ  第１〜６のシール部材のリップ部
１２  基部
１２ａ  基部の凹部（係合部）
１２ｂ  基部の先端部
１２ｃ  基部の基端部
１３  基部の第１の面
１４  基部の第２の面
１５  基部の第３の面
２  保持板
２ａ  保持板の上側部
２ｂ  保持板の側方部
２０  保持部
２１  凸部
２２  第１の保持面
２３  第２の保持面
２４  第３の保持面
３  カバー
３１  カバーの上部材
３２  カバーの側部材
４２  グリースニップルを取り付ける貫通穴
４３  グリースニップルを取り付ける貫通穴
５２  ボルトを通す貫通穴
５３  ボルトを通す貫通穴
１００  案内レール
１１０  案内レールの転動面
２００  スライダ
２０１  スライダ本体
２０２  エンドキャップ
２０３  サイドシール
２０５  雌ねじ
２１０  スライダの転動面
２２１  戻し通路
２２２  方向転換路
３００  ころ（転動体）
４００  グリースニップル
５００  ボルト
【図１】
2012070185.tif 000003
【図２】
2012070185.tif 000004
【図３】
2012070185.tif 000005
【図４】
2012070185.tif 000006
【図５】
2012070185.tif 000007
【図６】
2012070185.tif 000008
【図７】
2012070185.tif 000009
【図８】
2012070185.tif 000010
【図９】
2012070185.tif 000011
【図１０】
2012070185.tif 000012
【図１１】
2012070185.tif 000013
【図１２】
2012070185.tif 000014
【手続補正書】
【提出日】平成25年10月3日(2013.10.3)
【手続補正１】
【補正対象書類名】特許請求の範囲
【補正対象項目名】全文
【補正方法】変更
【補正の内容】
【特許請求の範囲】
【請求項１】
案内レールとスライダと複数個の転動体とを有するリニアガイド装置の前記スライダの運動方向両端に固定され、下記の構成(1) 〜(4) を有するリニアガイド装置用サイドシールの構成部品。
(1) 前記案内レールの上面および両側面と隙間を開けて対向する上部材および両側部材からなるカバーと、前記案内レールの上面および両側面に接触させるリップ部と基部とを有するシール部材と、前記基部を保持する保持板と、からなる。
(2) 前記基部は、厚さ方向の一面に、前記保持板と凹凸の嵌め合いで係合する係合部を有し、前記リップ部は、厚さ方向の前記一面側から他面側に傾斜し、前記カバーは、前記シール部材の厚さ方向の他面に接触配置される。
(3) 同じ形状の前記カバーが複数個用意され、同じ形状の前記保持板が複数個用意され、前記リップ部の傾き、材質、厚さ、および先端形状の少なくともいずれかが異なる複数種のシール部材が用意されている。
(4) 前記カバーと前記保持板と前記シール部材とが、それぞれ複数個組み合わせて使用される。
【請求項２】
前記複数種のシール部材は、前記案内レールの面に対する前記リップ部の傾斜角度が、それぞれ約２０°、約３０°、約４０°である請求項１記載のリニアガイド装置用サイドシールの構成部品。
【請求項３】
前記複数種のシール部材は、前記リップ部の先端面が、前記リップ部の傾斜方向に対して、それぞれ垂直、鈍角、鋭角に形成されている請求項１記載のリニアガイド装置用サイドシールの構成部品。
【請求項４】
案内レールとスライダと複数個の転動体とを有し、下記の構成(1) 〜(4) を有するサイドシール構成部品を使用して構成されたサイドシールが、前記スライダの運動方向両端に固定されているリニアガイド装置。
(1) 前記案内レールの上面および両側面と隙間を開けて対向する上部材および両側部材からなるカバーと、前記案内レールの上面および両側面に接触させるリップ部と基部とを有するシール部材と、前記基部を保持する保持板と、からなる。
(2) 前記基部は、厚さ方向の一面に、前記保持板と凹凸の嵌め合いで係合する係合部を有し、前記リップ部は、厚さ方向の前記一面側から他面側に傾斜し、前記カバーは、前記シール部材の厚さ方向の他面に接触配置される。
(3) 同じ形状の前記カバーが複数個用意され、同じ形状の前記保持板が複数個用意され、前記リップ部の傾き、材質、厚さ、および先端形状の少なくともいずれかが異なる複数種のシール部材が用意されている。
(4) 前記カバーと前記保持板と前記シール部材とが、それぞれ複数個組み合わせて使用される。
【請求項５】
前記サイドシールは、前記リップ部の厚さが異なる２個のシール部材と、各２個の前記保持板および前記カバーで構成され、
前記２個のシール部材は、前記リップ部の傾きが互いに離れる反対側向きになるように配置されている請求項４記載のリニアガイド装置。
【請求項６】
前記サイドシールは、前記案内レールの面に対する前記リップ部の傾斜角度が異なる２個のシール部材と、各２個の前記保持板および前記カバーで構成され、
前記２個のシール部材は、前記リップ部の傾きが互いに離れる反対側向きになるように配置されている請求項４記載のリニアガイド装置。
【請求項７】
前記サイドシールは、各３個の前記保持板、前記カバー、および前記シール部材で構成され、
前記３個のシール部材は、前記リップ部の傾きが前記スライダ側から内向き、内向き、外向きとなるように配置されている請求項４記載のリニアガイド装置。
【請求項８】
前記サイドシールは、前記リップ部の先端面がリップ部の傾斜方向に対して鈍角に形成されたシール部材と、前記リップ部の先端面がリップ部の傾斜方向に対して鋭角に形成されたシール部材と、各２個の前記保持板および前記カバーで構成され、
前記２個のシール部材は、前記リップ部の傾きが互いに離れる反対側向きになるように配置されている請求項４記載のリニアガイド装置。
【請求項９】
前記サイドシールは、前記リップ部の厚さが異なる２個のシール部材と、各２個の前記保持板および前記カバーで構成され、
前記サイドシールにおいて、外側に配置された前記シール部材のリップ部の厚さが、内側に配置された前記シール部材のリップ部の厚さより薄い請求項４記載のリニアガイド装置。
【請求項１０】
前記サイドシールは、前記リップ部の前記案内レールの面に対する角度が異なる２個のシール部材と、各２個の前記保持板および前記カバーで構成され、
前記サイドシールにおいて、内側に配置された前記シール部材のリップ部の前記角度が、外側に配置された前記シール部材のリップ部の前記角度より大きい請求項４記載のリニアガイド装置。
【請求項１１】
前記サイドシールは、各３個以上の前記保持板、前記カバー、および前記シール部材で構成され、
前記３個以上のシール部材は、厚さおよび前記案内レールの面に対する角度が等しいリップ部を有し、
連続した２個の前記シール部材はリップ部の傾きが内向きで、残りのシール部材はリップ部の傾きが外向きで配置されている請求項４記載のリニアガイド装置。
【請求項１２】
前記サイドシールは、前記リップ部の先端面と前記リップ部の傾斜方向とでなす角度が異なる２個のシール部材と、各２個の前記保持板および前記カバーで構成され、
前記サイドシールにおいて、外側に配置された前記シール部材のリップ部の前記角度が鈍角であり、内側に配置された前記シール部材のリップ部の前記角度が鋭角である請求項４記載のリニアガイド装置。
【国際調査報告】
2012070185.tif 000015
2012070185.tif 000016
2012070185.tif 000017
2012070185.tif 000018